(57)【要約】【課題】屈曲を緩和しつつ筐体の大型化を防止する。【解決手段】フレキシブルフラットケーブル２３は、複数のフレキシブルハーネス部２３ａ，２３ｂの長さ方向一端を、互いに一体的に形成したコネクタ側端部２３ｃと、複数のフレキシブルハーネス部２３ａ，２３ｂの長さ方向他端を、互いに一体的に形成した基板側端部２３ｄと、信号線又は前記グランド線の延設方向に沿うコネクタ側端部２３ｃと基板側端部２３ｄとの中間部に設けられ、複数のフレキシブルハーネス部２３ａ，２３ｂがスリットＳを介し個別に分離されつつ互いに厚さ方向に積層するように束ねられた、分離積層部Ｗとを有する。【選択図】図５
2013206826.tif 000002
【特許請求の範囲】
【請求項１】
長さ方向に延設される信号線又はグランド線を幅方向に複数本配列したフレキシブルハーネス部を、複数備えた、フレキシブルフラットケーブルであって、
前記複数のフレキシブルハーネス部の長さ方向一端を、互いに一体的に形成した第１一体部と、
前記複数のフレキシブルハーネス部の長さ方向他端を、互いに一体的に形成した第２一体部と、
前記信号線又は前記グランド線の延設方向に沿う前記第１一体部と前記第２一体部との中間部に設けられ、前記複数のフレキシブルハーネス部がスリットを介し個別に分離されつつ互いに厚さ方向に積層するように束ねられた、分離積層部と、
を有することを特徴とするフレキシブルフラットケーブル。
【請求項２】
請求項１記載のフレキシブルフラットケーブルにおいて、
前記第１一体部では、
前記複数のフレキシブルハーネス部の前記一端が、互いに略同一面内で隣接して並ぶようにして一体的に形成されており、
前記第２一体部では、
前記複数のフレキシブルハーネス部の前記他端が、互いの境界部を幅方向に折り込みつつ厚さ方向に積層して並ぶようにして一体的に形成されている
ことを特徴とするフレキシブルフラットケーブル。
【請求項３】
請求項２記載のフレキシブルフラットケーブルにおいて、
前記第１一体部は、
制御基板上の制御回路により制御される被制御機構に接続されるコネクタに組み込まれる部位であり、
前記第２一体部は、
前記制御基板に接続される部位である
ことを特徴とするフレキシブルフラットケーブル。
【請求項４】
筐体と、
略水平方向に配置された読み取り対象物に対し光学的な読み取りを行う読み取り手段と、
前記読み取り対象物に対して前記読み取り手段を走査するために、当該読み取り手段を前記筐体に対して略水平方向に駆動する駆動手段と、
前記筐体に固定され、前記読み取り手段を制御する制御回路を備えた制御基板と、
長さ方向に延設される信号線又はグランド線を幅方向に複数本配列したフレキシブルハーネス部を、複数備え、かつ、前記駆動手段により駆動された前記読み取り手段の移動を許容しつつ当該読み取り手段と前記制御基板とを接続する、フレキシブルフラットケーブルと、
を有する画像読み取り装置であって、
前記フレキシブルフラットケーブルは、
前記複数のフレキシブルハーネス部の長さ方向一端が互いに一体的に形成され、前記読み取り装置に接続される第１一体部と、
前記複数のフレキシブルハーネス部の長さ方向他端が互いに一体的に形成され、前記制御基板に接続される第２一体部と、
前記信号線又は前記グランド線の延設方向に沿う前記第１一体部と前記第２一体部との中間部に設けられ、前記複数のフレキシブルハーネス部がスリットを介し個別に分離されつつ互いに厚さ方向に積層するように束ねられた、分離積層部と、
を有することを特徴とする画像読み取り装置。
【請求項５】
請求項４記載の画像読み取り装置において、
前記フレキシブルフラットケーブルは、
前記分離積層部において積層された前記複数のフレキシブルハーネス部の面方向が略鉛直方向となるように、配置されている
ことを特徴とする画像読み取り装置。
【発明の詳細な説明】
【技術分野】
【０００１】
本発明は、例えば電子機器の筐体内部に設けられるフレキシブルフラットケーブル、及びこれを用いた画像読み取り装置に関する。
【背景技術】
【０００２】
電子機器の筐体の内部に配設され、信号線やグランド線を幅方向に複数本配列したフレキシブルフラットケーブルが既に知られている（例えば、特許文献１参照）。
【０００３】
この従来技術では、略平箱形状の筐体と、略水平方向に配置された読み取り対象物に対し光学的な読み取りを行う読み取り手段（ＣＩＳ）と、読み取り手段を筐体に対して略水平方向に駆動する駆動手段（キャリッジ、タイミングベルト、ステッピングモータ）と、筐体に固定され、読み取り手段を制御する制御回路（画像処理部）と、駆動手段により駆動された読み取り手段の移動を許容しつつ当該読み取り手段と制御回路とを接続する、フレキシブルフラットケーブルと、を有する画像読み取り装置が開示されている。
【先行技術文献】
【特許文献】
【０００４】
【特許文献１】特開２００１−３４６００６号公報（図４、図５等）
【発明の概要】
【発明が解決しようとする課題】
【０００５】
上記従来技術では、幅方向に複数本の信号線やグランド線が配列されるフレキシブルフラットケーブルが、その面方向を略鉛直方向にして配置されている。これにより、接続対象である読み取り手段と制御回路との相対位置関係が上記読み取り手段の水平方向駆動により変化し最も屈曲した場合であっても、上記面方向を略水平方向に配置した場合に比べ、屈曲を緩和できるよう図られている。しかしながらこの場合、上述の信号線やグランド線を並べる配列方向が上下方向となることから、仮に信号線やグランド線の本数が多くなった場合には、フレキシブルフラットケーブル自体の幅方向寸法が大きくなる結果、筐体の上下方向寸法が増大し、大型化を招く、という問題があった。
【０００６】
本発明の目的は、屈曲を緩和しつつ筐体の大型化を防止できる、フレキシブルフラットケーブル及びこれを用いた画像読み取り装置を提供することにある。
【課題を解決するための手段】
【０００７】
上記目的を達成するために、本願発明は、長さ方向に延設される信号線又はグランド線を幅方向に複数本配列したフレキシブルハーネス部を、複数備えた、フレキシブルフラットケーブルであって、前記複数のフレキシブルハーネス部の長さ方向一端を、互いに一体的に形成した第１一体部と、前記複数のフレキシブルハーネス部の長さ方向他端を、互いに一体的に形成した第２一体部と、前記信号線又は前記グランド線の延設方向に沿う前記第１一体部と前記第２一体部との中間部に設けられ、前記複数のフレキシブルハーネス部がスリットを介し個別に分離されつつ互いに厚さ方向に積層するように束ねられた、分離積層部と、を有することを特徴とする。
【０００８】
本願発明では、フレキシブルフラットケーブルを、複数のフレキシブルハーネス部によって構成する。各フレキシブルハーネス部には、長さ方向に延設される信号線（又はグランド線）が、幅方向に複数本配列されている。
【０００９】
このとき、それら複数のフレキシブルハーネス部の長さ方向一端側は、第１一体部として互いに一体的に形成されており、長さ方向他端側も、第２一体部として一体形成されている。これに対して、上記第１一体部と第２一体部との中間部では、分離積層部として、複数のフレキシブルハーネス部はスリットによって互いに個別に分離されている。また、この分離積層部では、複数のフレキシブルハーネス部は互いに厚さ方向に積層されるように束ねられている。これにより、当該分離積層部において必要となる幅方向（厚さ方向及び長さ方向と直交する方向）の寸法は、１枚のフレキシブルハーネス部ぶんの寸法だけで足り、複数のフレキシブルハーネス部それぞれの寸法を合算した寸法よりも小さくなる。この結果、屈曲を緩和するために筐体内で面方向を鉛直方向にして配置した構造で、各フレキシブルハーネス部における信号線やグランド線の数が多くなる場合であっても、少なくとも分離積層部においては、複数のフレキシブルハーネス部全体の幅方向寸法の増大を抑制できる。したがって、フレキシブルフラットケーブルが接続する接続対象が配置された、筐体の大型化を防止ことができる。
【００１０】
また、本願発明の画像読み取り装置は、筐体と、略水平方向に配置された読み取り対象物に対し光学的な読み取りを行う読み取り手段と、前記読み取り対象物に対して前記読み取り手段を走査するために、当該読み取り手段を前記筐体に対して略水平方向に駆動する駆動手段と、前記筐体に固定され、前記読み取り手段を制御する制御回路を備えた制御基板と、長さ方向に延設される信号線又はグランド線を幅方向に複数本配列したフレキシブルハーネス部を、複数備え、かつ、前記駆動手段により駆動された前記読み取り手段の移動を許容しつつ当該読み取り手段と前記制御基板とを接続する、フレキシブルフラットケーブルと、を有する画像読み取り装置であって、前記フレキシブルフラットケーブルは、前記複数のフレキシブルハーネス部の長さ方向一端が互いに一体的に形成され、前記読み取り装置に接続される第１一体部と、前記複数のフレキシブルハーネス部の長さ方向他端が互いに一体的に形成され、前記制御基板に接続される第２一体部と、前記信号線又は前記グランド線の延設方向に沿う前記第１一体部と前記第２一体部との中間部に設けられ、前記複数のフレキシブルハーネス部がスリットを介し個別に分離されつつ互いに厚さ方向に積層するように束ねられた、分離積層部と、を有することを特徴とする。
【００１１】
本願発明の画像読み取り装置は、筐体と、読み取り手段とを、有する。読み取り対象物が略水平に配置されると、駆動手段によって読み取り手段が筐体に対して略水平方向に駆動される。これによって、読み取り手段は読み取り対象物に対する走査を行い、画像読み取りを実行する。このとき、読み取り手段を制御する制御回路は、筐体に固定された制御基板に設けられている。したがって、上記のように読み取り手段が駆動されるとき、制御基板と読み取り手段との間には相対変位が生じる。そこで、制御基板上の制御回路と読み取り手段との間を、それらの相対変位を許容するフレキシブルフラットケーブルによって接続している。
【００１２】
そして、本願発明では、上記フレキシブルフラットケーブルを、複数のフレキシブルハーネス部によって構成している。各フレキシブルハーネス部には、長さ方向に延設される信号線（又はグランド線）が、幅方向に複数本配列されている。それら複数のフレキシブルフラットケーブルの長さ方向一端側は、第１一体部として互いに一体的に形成されており、長さ方向他端側も、第２一体部として一体形成されている。
【００１３】
これに対して、上記第１一体部と第２一体部との中間部では、分離積層部として、複数のフレキシブルハーネス部はスリットによって互いに個別に分離されている。また、この分離積層部では、複数のフレキシブルハーネス部は互いに厚さ方向に積層されるように束ねられている。これにより、当該分離積層部において必要となる幅方向（厚さ方向と直交する方向）の寸法は、１枚のフレキシブルハーネス部ぶんの寸法だけで足り、複数のフレキシブルハーネス部それぞれの寸法を合算した寸法よりも小さくなる。
【００１４】
この結果、上記のように制御回路と読み取り手段とを接続するために、各フレキシブルハーネス部における信号線やグランド線の数が多くなる場合であっても、少なくともフレキシブルフラットケーブルの分離積層部においては、幅方向寸法の増大を抑制できる。これにより、フラットケーブルフレキシブルが収納配置される画像読み取り装置の筐体の大型化を防止ことができる。
【発明の効果】
【００１５】
本発明によれば、屈曲を緩和しつつ、筐体の大型化を防止することができる。
【図面の簡単な説明】
【００１６】
【図１】本発明の一実施形態の画像読み取り装置の斜視図である。
【図２】スキャナの内部構造を表す、スキャンセンサ搬送中の斜視図である。
【図３】スキャナの内部構造を上側から見た斜視図である。
【図４】フレキシブルフラットケーブルをコネクタに装着した状態のスキャンセンサの左前方側から見た斜視図、及び右前方側から見た斜視図である。
【図５】フレキシブルフラットケーブルの基板側から見た斜視図、及びコネクタ側から見た斜視図である。
【図６】図５（ｂ）のＡ部拡大斜視図、及びＢ部拡大斜視図である。
【図７】図５（ａ）のＣ部を破断して示す拡大断面図である。
【図８】フレキシブルフラットケーブルの折り曲げ順序を示す説明図である。
【図９】折り曲げ構造としない変形例を示す斜視図である。
【図１０】複数のフレキシブルハーネス部を束ねない状態で展開して示す平面図である。
【発明を実施するための形態】
【００１７】
以下、本発明の一実施形態を、図面を参照しつつ説明する。なお、以下の説明では、図１の紙面の上側、下側、右上側、左下側、右下側、左上側を、それぞれスキャナ１（画像読み取り装置）の上側、下側、右側、左側、前側、後側と定義して説明する。
【００１８】
＜スキャナの概要＞
まず、図１を用いて、スキャナ１の概要について説明する。スキャナ１は、例えば机上の読み取り対象物である原稿（図示省略）の上に載置されて読み取り（スキャン）を行う。あるいは、スキャナ１の上側に原稿が配置されることで、当該原稿に対し読み取りを行う。
【００１９】
図１に示すように、スキャナ１は、前後方向８１に長い、長方体状の筐体２を備えている。筐体２の上面中央には、スキャナ１の内部に貫通する矩形状の開口２１が設けられている。開口２１の内側には、透明板３の原稿接触面３１が設けられている。透明板３は、例えば、アクリルで構成された透明な板状部材であり、その上面の一部が、原稿接触面３１である。原稿接触面３１は、スキャナ１の上面略中央に設けられている。原稿接触面３１は、スキャナ１を使用しての読み取りが行われる際に、原稿と接触する。
【００２０】
＜スキャナの内部構造＞
次に、図２及び図３を用いて、スキャナ１の内部構造について説明する。図２及び図３に示すように、スキャナ１の内部には、左右方向８２に長い略板状のスキャンセンサ２２（読み取り手段、被制御機構）が備えられている。スキャンセンサ２２は、後述の搬送駆動機構１００（駆動手段）によって前後方向８１に移動可能であり、これによって原稿接触面３１に略水平方向に配置された読み取り対象物である原稿に対し、光学的な読み取りを行う。
【００２１】
スキャンセンサ２２としては、図示しない検出素子、レンズ、ＬＥＤ（Ｌｉｇｈｔ  Ｅｍｉｔｔｉｎｇ  Ｄｉｏｄｅ）等の光源、及び導光板等を備えた、例えばＣＩＳ（Ｃｏｎｔａｃｔ  Ｉｍａｇｅ  Ｓｅｎｓｏｒ）方式等のセンサが使用される。そして、このスキャンセンサ２２を制御するための制御回路を備えた制御基板２５が、筐体２内の前方左側に設けられている。光源から発せられた光は、導光板を介して上方に向けて照射される。そして、原稿に対し光学的な読み取りを行う際には、スキャンセンサ２２が検出部（図示せず）を前後方向８１に沿って後側に移動させながら、光源が光を照射し、その反射光を検出素子が検出する。スキャンセンサ２２は、後述のフレキシブルフラットケーブルを介して、制御基板２５上の制御回路（図示せず）によって制御される。
【００２２】
＜搬送駆動機構によるスキャンセンサの駆動＞
次に、スキャンセンサ２２を筐体２に対し略水平方向に（詳細には前後方向８１に）搬送駆動する、上記搬送駆動機構１００について説明する。図２及び図３において、搬送駆動機構１００は、モータ１３と、ギア１２と、ボールねじ１１と、右側ガイドシャフト１４と、左側ガイド面１５と、を有している。すなわち、筐体２内の前方右側に上記モータ１３が設けられ、このモータ１３が上記ギア１２を介して、筐体２内の右側に前後方向８１に沿って配したボールネジ１１に作動連結されている。そして、このボールネジ１１に隣接するように、右側ガイドシャフト１４が前後方向８１に沿って延設されている。一方、筐体２内の左側には、左側ガイド面１５が前後方向８１に沿って延設されている。
【００２３】
このとき、上記構成の搬送駆動機構１００に対応して、図４に示すように、スキャンセンサ２２の下面右側にはネジ孔２２ａとガイド孔２２ｂが設けられている。ネジ孔２２ａには上記ボールネジ１１が螺合し、ガイド孔２２ｂに上記右側ガイドシャフト１４が挿通されている。また、ガイド孔２２ｂに対応してスキャンセンサ２２の下面左側にはガイドローラ２２ｃ（図３参照）が設けられており、このガイドローラ２２ｃは左側ガイド面１５の上を転がりながら摺動する。こうして、モータ１３の駆動によりギア１２を介してボールネジ１１が回転することにより、スキャンセンサ２２は右側ガイドシャフト１４及び左側ガイド面１５にガイドされつつ前後方向８１に搬送される。
【００２４】
なお、搬送駆動機構１００は、上記のようなボールネジ方式とする代わりに、ベルト駆動方式としても良い。
【００２５】
＜フレキシブルフラットケーブルの概略＞
ここで、スキャンセンサ２２が上記のようにして前後方向８１に駆動されるとき、制御基板２５とスキャンセンサ２２との間には相対変位が生じる。そこで、制御基板２５上の制御回路とスキャンセンサ２２との間を、それらの相対変位を許容するフレキシブルフラットケーブル（以下適宜、「ＦＦＣ」と略称する）２３によって接続している。
【００２６】
図２、図３、及び図４に示すように、ＦＦＣ２３の一端側（コネクタ側）には、コネクタ側端部２３ｃ（第１一体部。後述の図５、図６等も参照）が設けられている。このコネクタ側端部２３ｃは、スキャンセンサ２２に接続されるコネクタ（図示せず）に組み込まれる部位である。これに対応して、スキャンセンサ２２の前方側面左側には、上記コネクタ側端部２３ｃが嵌合される、被嵌合部（図示省略）が設けられている。ＦＦＣ２３の他端側の基板側端部２３ｄ（第２一体部）は、上記制御基板２５に接続されている。
【００２７】
ＦＦＣ２３の上記コネクタ側端部２３ｃと基板側端部２３ｄとの中間部には、コネクタ側端部２３ｃから基板側端部２３ｄに向かって第１折曲部Ｒ１、第２折曲部Ｒ２、及び第３折曲部Ｒ３が形成され（後述の図８、図５、及び図６も参照）、これによってＦＦＣ２３は全体的に平面視において略Ｚ字状に折り曲げられた形状を備えている。この結果、ＦＦＣ２３は、上記のような筐体２内でのスキャンセンサ２２の前後移動に伴い、第３折曲部Ｒ３を介して前後方向８１に伸縮自在となっている。
【００２８】
＜フレキシブルフラットケーブルの詳細構造＞
次に、本実施形態の要部であるＦＦＣ２３の詳細構造を、図５、図６、及び図７を用いて説明する。
【００２９】
既に述べたように、ＦＦＣ２３は、図５（ａ）及び図５（ｂ）に示すように、第３折曲部Ｒ３を介して全体的に略Ｖ字状に折り曲げられた形状となっている。そして第２折曲部Ｒ２を介して折り曲げられた長さ方向一端側（コネクタ側）に上記コネクタ側端部２３ｃが備えられ、長さ方向他端側（基板側）に基板側端部２３ｄが備えられている。
【００３０】
このとき、図５（ｂ）に示すように、ＦＦＣ２３は、長さ方向に延設される信号線又はグランド線を幅方向に複数本配列してなる、複数（この例では２本）のフレキシブルハーネス部２３ａ，２３ｂによって構成されている。
【００３１】
フレキシブルハーネス部２３ａには、長さ方向に延設される信号線パターン部分Ｐ１が配設され、フレキシブルハーネス部２３ｂには、長さ方向に延設されるグランド線パターン部分Ｐ２が設けられている。信号線パターン部分Ｐ１にはこの例では６本の信号線Ｓｇが幅方向に配列され、グランド線パターン部分Ｐ２にはシールド効果を上げるためにこの例では各信号線Ｓｇに対応する６本のグランド線Ｇｄが幅方向に配列されている。
【００３２】
そして、各フレキシブルハーネス部２３ａ，２３ｂの長さ方向一端が、互いに略同一面内で隣接して並ぶようにして一体的に形成されることで、上記コネクタ側端部２３ｃが構成されている。このコネクタ側端部２３ｃは、図６（ａ）及び図５（ｂ）に示すように、各フレキシブルハーネス部２３ａ，２３ｂの中間において他の部位よりも凸状に突出する（言い換えればフレキシブルハーネス部２３ａ，２３ｂを折り畳み前の状態に延ばした状態でみたときに全体がＴ字状となる；後述の図８参照）ように、設けられる部位である。このとき、上記信号線パターン部分Ｐ１及びグランド線パターン部分Ｐ２は、コネクタ側端部２３ｃで集合し、この結果合計１２本の隣接パターンとなって配される（図６（ａ）参照）。
【００３３】
また、図５（ｂ）のＢ部拡大図である図６（ｂ）に示すように、各フレキシブルハーネス部２３ａ，２３ｂの長さ方向他端部（基板側端部）が、厚さ方向に積層して並ぶようにして一体的に形成されることで、上記基板側端部２３ｄとなる。この基板側端部２３ｄでは、各フレキシブルハーネス部２３ａ，２３ｂが、互いの境界部Ｂｄを幅方向に折り込む（矢印ア，イ参照）ように、一体化され配置されている。
【００３４】
そして、上記のように２つのフレキシブルハーネス部２３ａ，２３ｂが一体となった両端のコネクタ側端部２３ｃ及び基板側端部２３ｄ以外の長さ方向中間部は、すべて、２つのフレキシブルハーネス部２３ａ，２３ｂが互いにスリットＳを介して分離しつつ厚さ方向に積層するように束ねられた分離積層部Ｗとなっている（図７参照）。すなわち、フレキシブルハーネス部２３ａ，２３ｂは、コネクタ側端部２３ｃ及び基板側端部２３ｄの２箇所でのみ一体化されており、それ以外の部分は（上記第１折曲部Ｒ１、第２折曲部Ｒ２、及び第３折曲部Ｒ３を含め）すべて図７に示すように互いに若干離間して配置されている。そして、ＦＦＣ２３は、前述の図２（ａ）及び図２（ｂ）に示すように、この分離積層部Ｗの面方向が略鉛直方向（上下方向８３）となるように、筐体２内に配置されている。
【００３５】
＜折り曲げ手順＞
次に、上記のような構成のＦＦＣ２３を折り曲げて形成する手順について図８を用いて説明する。
【００３６】
まず最初は、図８（ａ）に示すように、ＦＦＣ２３は、フレキシブルハーネス部２３ａ及びフレキシブルハーネス部２３ｂが略一直線上に延びかつ全体が同一平面上にある、展開状態となっている。この状態では、上記コネクタ側端部２３ｃは、それらフレキシブルハーネス部２３ａ，２３ｂの中間部において他の部位よりも凸状に突出するように（言い換えればＦＦＣ２３全体がＴ字状となるように）設けられている。
【００３７】
この展開状態の後、図８（ｂ）に示すように、図８（ａ）の状態のＦＦＣ２３において、各フレキシブルハーネス部２３ａ，２３ｂの中間の上記コネクタ側端部２３ｃを残し、それ以外の部分を、上記同一平面に対し上方へと直角に折り曲げる（矢印ウ，エ参照）。この図８（ｂ）は、図８（ａ）で示す展開状態（同一平面上の状態）となっているＦＦＣ２３をＤ−Ｄ矢印方向から見た図である。すなわち図８（ａ）、図８（ｂ）ともに、上記同一平面を見下ろす視点の平面図（上面図）となっている（以下、図８（ｃ）〜（ｅ）も同様）。さらに、コネクタ側端部２３ｃ近傍の上記第１折曲部Ｒ１となる部位（図中には単純に「Ｒ１」と示す。以下同様）において、フレキシブルハーネス部２３ａをフレキシブルハーネス部２３ｂの方へ折り曲げる（矢印オ参照）。これにより、各フレキシブルハーネス部２３ａ，２３ｂの長さ方向端部（図中の左端）が揃い、上記基板側端部２３ｄとなる部位が完成する。
【００３８】
その後、図８（ｃ）に示すように、コネクタ側端部２３ｃ近傍の上記第２折曲部Ｒ２となる部位において、それよりも図示左側に位置する、互いに重ねられている両フレキシブルハーネス部２３ａ，２３ｂを、図示右側へと折り曲げる（矢印カ参照）。
【００３９】
そして、図８（ｄ）及び図８（ｅ）に示すように、上記第３折曲部Ｒ３となる部位において、両フレキシブルハーネス部２３ａ，２３ｂの図示右半分を、左側へ略Ｖ字状に折り曲げる（矢印キ参照）。これにより、図８（ｆ）に示すように、前述した構造のＦＦＣ２３が生成される。なお、図８（ｆ）は、図８（ｅ）をＥ方向から見た矢視図に相当している。
【００４０】
以上説明したように、本実施形態においては、フレキシブルフラットケーブル２３を、複数（この例では２つ）のフレキシブルハーネス部２３ａ，２３ｂによって構成する。各フレキシブルハーネス部２３ａ，２３ｂには、長さ方向に延設される信号線Ｓｇ又はグランド線Ｇｄが、幅方向に複数本配列されている。そして、それら複数のフレキシブルフラットケーブル２３ａ，２３ｂの長さ方向一端側は、コネクタ側端部２３ｃとして互いに一体的に形成されており、長さ方向他端側も、基板側端部２３ｄとして一体形成されている。
【００４１】
これに対して、上記コネクタ側端部２３ｃと基板側端部２３ｄとの中間部では、分離積層部Ｗとして、複数のフレキシブルハーネス部２３ａ，２３ｂはスリットＳによって互いに個別に分離されている。そして、この分離積層部Ｗでは、複数のフレキシブルハーネス部２３ａ，２３ｂは互いに厚さ方向に積層されるように束ねられている。これにより、当該分離積層部Ｗにおいて必要となる幅方向（厚さ方向と直交する方向）の寸法は、１枚のフレキシブルハーネス部２３ａ（又は２３ｂ）ぶんの寸法だけで足り、複数のフレキシブルハーネス部２３ａ，２３ｂそれぞれの寸法を合算した寸法よりも小さくなる。
【００４２】
以上の結果、屈曲を緩和するためにスキャナ１の筐体２内で面方向を鉛直方向にしてＦＦＣ２３を配置した構造で、各フレキシブルハーネス部２３ａ，２３ｂにおける信号線Ｓｇやグランド線Ｇｄの数が比較的多い場合であっても、少なくとも分離積層部Ｗにおいては、複数のフレキシブルハーネス部２３ａ，２３ｂ全体の幅方向寸法の増大を抑制できる。そして、本実施形態では特に、ＦＦＣ２３は、フレキシブルハーネス部２３ａ及びフレキシブルハーネス部２３ｂの面方向が略鉛直方向となるように配置されている。これにより、ＦＦＣ２３の面方向を略鉛直方向として延設するいわゆる縦置きの場合において、スキャナ１の筐体２の上下方向８３における寸法増大を確実に防止できる。この結果、スキャナ１の薄型化・小型化を図ることができる。
【００４３】
また、本実施形態では特に、複数のフレキシブルハーネス部２３ａ，２３ｂが略同一面内で隣接して並ぶ幅広態様のコネクタ側端部２３ｃと、複数のフレキシブルハーネス部２３ａ，２３ｂが厚さ方向に積層して並ぶ幅狭態様の基板側端部２３ｄと、を両端に備えたケーブル構成を容易に実現することができる。
【００４４】
また、本実施形態においては特に、ＦＦＣ２３が、スキャンセンサ２２に接続されるコネクタに組み込まれる部位であるコネクタ側端部２３ｃと、制御基板２５に接続される部位である基板側端部２３ｄとを備える。これにより、制御回路の制御基板２５と、制御回路による制御されるスキャンセンサ２２とを円滑に接続することができる。
【００４５】
なお、本発明は、上記実施形態に限られるものではなく、その趣旨及び技術的思想を逸脱しない範囲内で種々の変形が可能である。以下、そのような変形例を説明する。
【００４６】
（１）折り曲げ構造としない場合
本変形例によるＦＦＣ２３′を図９及び図１０により説明する。上記実施形態と同等の部分には適宜同一の符号を付している。図９に示すように、本変形例のＦＦＣ２３′では、上記コネクタ側端部２３ｃと基板側端部２３ｄとの中間部に、３つのフレキシブルハーネス部２３１，２３２，２３３がスリットＳによって互いに個別に分離して並列配置されて分離積層部Ｗが形成されている。そしてこの分離積層部Ｗでは、上記のように互いに分離された複数のフレキシブルハーネス部２３１，２３２，２３３が互いに厚さ方向に積層されるように束ねられ、適宜の固定手段Ｖ（例えばバンドやクリップ等）によって固定されている。このとき、各フレキシブルハーネス部２３１，２３２，２３３の表裏の向きは、すべてが同じ向きとなるように積層されている。これによって側端部から中間部への変形を小さくすることができる。
【００４７】
上記のように３つのフレキシブルハーネス部２３１，２３２，２３３を束ねる前のＦＦＣ２３′の状態（展開した状態）を図１０に示す。図１０に示すように、中央のフレキシブルハーネス部２３２には、２本の信号線パターン部分Ｐ１が形成され、両側のフレキシブルハーネス部２３１，２３３にはグランド線パターン部分Ｐ２がそれぞれ形成されている。また、上記コネクタ側端部２３ｃと基板側端部２３ｄとは、中間のフレキシブルハーネス部２３１，２３２，２３３の面方向に対してθ＝約４５°の角度でもって互いに反対方向に傾斜配置されている。なお、中央のフレキシブルハーネス部２３２の幅方向寸法Ｄ３を、両側のフレキシブルハーネス部２３１，２３３の幅方向寸法Ｄ２，Ｄ３よりも小さくしてもよい。この場合、中央のフレキシブルハーネス部２３２の２本の信号線パターン部分Ｐ１のシールド効果を高めることができる。
【００４８】
本変形例においても、上記実施形態と同様、分離積層部Ｗにおいて必要となる幅方向寸法は、１枚のフレキシブルハーネス部２３１（又は２３２若しくは２３３）の寸法だけで足り、複数のフレキシブルハーネス部２３１，２３２，２３３それぞれの寸法を合算した寸法よりも小さくなる。この結果、上記同様、各フレキシブルハーネス部２３１，２３２，２３３における信号線パターン部分Ｐ１の信号線の数やグランド線パターン部分Ｐ２のグランド線の数が多くなる場合であっても、少なくとも分離積層部Ｗにおいては、複数のフレキシブルハーネス部２３１，２３２，２３３全体の幅方向寸法の増大を抑制できる。
【００４９】
（２）その他
以上においては、本発明のＦＦＣ２３を適用する電子機器として、スキャナ１を例にとって説明したが、これに限られない。例えば印刷装置など、可動する部分がありその可動する部分と固定側とを接続するためにＦＦＣが用いられる電子機器であれば、他のものに対しても本発明は適用でき、この場合も同様の効果を得る。
【００５０】
また、以上既に述べた以外にも、上記実施形態や各変形例による手法を適宜組み合わせて利用しても良い。
【００５１】
その他、一々例示はしないが、本発明は、その趣旨を逸脱しない範囲内において、種々の変更が加えられて実施されるものである。
【符号の説明】
【００５２】
２                筐体
２２              スキャンセンサ（読み取り手段、被制御機構）
２３              フレキシブルフラットケーブル（ＦＦＣ）
２３′            フレキシブルフラットケーブル（ＦＦＣ）
２３ａ，２３ｂ    フレキシブルハーネス部
２３ｃ            コネクタ側端部（第１一体部）
２３ｄ            基板側端部（第２一体部）
２５              制御基板
１００            搬送駆動機構（駆動手段）
２３１〜２３３    フレキシブルハーネス部
Ｓ                スリット
Ｗ                分離積層部
【図１】
2013206826.tif 000003
【図２】
2013206826.tif 000004
【図３】
2013206826.tif 000005
【図４】
2013206826.tif 000006
【図５】
2013206826.tif 000007
【図６】
2013206826.tif 000008
【図７】
2013206826.tif 000009
【図８】
2013206826.tif 000010
【図９】
2013206826.tif 000011
【図１０】
2013206826.tif 000012